(57)【要約】【課題】マルチビューディスプレイ上でプライバシーを守るための方法およびシステムを提供する。【解決手段】マルチビューディスプレイ８の第１画像視野上に第１画像を表示する工程であって、第１画像視野は、第１位置に居る観察者２に対して遮蔽されない視野を与えるとともに、第１位置から離れるにしたがって、観察者２に対して次第に遮蔽されてゆく視野を与える工程、および、マルチビューディスプレイ８の第２画像視野上にマスク画像を表示する工程であって、第２画像視野は、第２位置に居る観察者４・６に対して遮蔽されない視野を与えるとともに、前記第２位置から離れるにしたがって、観察者４・６に対して次第に遮蔽されてゆく視野を与える工程、とを有する。【選択図】図１
2008102517.tif 000002
【特許請求の範囲】
【請求項１】
ａ）およびｂ）の工程を有することを特徴とする、マルチビューディスプレイ上でプライバシーを守る方法。
ａ）マルチビューディスプレイの第１画像視野上に第１画像を表示する工程であって、前記第１画像視野は、第１位置に居る観察者に対して遮蔽されない視野を与えるとともに、前記第１位置から離れるにしたがって、観察者に対して次第に遮蔽されてゆく視野を与える工程
ｂ）前記マルチビューディスプレイの第２画像視野上にマスク画像を表示する工程であって、前記第２画像視野は、第２位置に居る観察者に対して遮蔽されない視野を与えるとともに、前記第２位置から離れるにしたがって、観察者に対して次第に遮蔽されてゆく視野を与える工程
【請求項２】
前記マスク画像は、ノイズ画像であることを特徴とする請求項１に記載の方法。
【請求項３】
前記ノイズ画像は、ヒト視覚システムのコントラスト感度関数の最大周波数に相当する周波数を有することを特徴とする請求項２に記載の方法。
【請求項４】
前記ノイズ画像は、前記マルチビューディスプレイに対応する明順応レベルにおいて、ヒト視覚システムのコントラスト感度関数の最大周波数に相当する最大周波数を有することを特徴とする請求項２に記載の方法。
【請求項５】
前記ノイズ画像は、実質的に３サイクル／度〜５サイクル／度である最大周波数を有することを特徴とする請求項２に記載の方法。
【請求項６】
前記マスク画像は、画像依存性パターン選択部によって選択されることを特徴とする請求項１に記載の方法。
【請求項７】
前記画像依存性パターン選択部は、前記第１画像における画像特性のサイズを決定するとともに、マスク画像ノイズの最大周波数に相当する周期を、前記画像特性のサイズに合わせることを特徴とする請求項６に記載の方法。
【請求項８】
前記画像依存性パターン選択部は、前記第１画像におけるテキスト特性のサイズを決定するとともに、マスク画像ノイズの最大周波数に相当する周期を、前記テキスト特性のサイズに合わせることを特徴とする請求項６に記載の方法。
【請求項９】
前記画像依存性パターン選択部が、下記のａ）〜ｃ）の工程を行うことを特徴とする請求項６に記載の方法。
ａ）前記第１画像中にテキストが存在するか否かを判断する工程
ｂ）テキストが存在する場合に、前記マスク画像として用いるテキストマスクを選択する工程
ｃ）テキストが存在しない場合に、前記マスク画像として用いるノイズマスクを選択する工程
【請求項１０】
前記第１画像中にテキストが存在する場合に、前記第１画像中の主要なテキスト文字のサイズを決定する工程と、
前記第１画像中にテキストが存在する場合に、前記第１画像中の主要なテキスト文字の前記サイズと実質的に同じサイズの文字を有する前記テキストマスクを設定する工程と、を有することを特徴とする請求項９に記載の方法。
【請求項１１】
前記第１画像中の画像特性のサイズを決定する工程と、
前記第１画像中にテキストが存在しない場合に、前記ノイズマスクの最大周波数に相当する周期を、前記画像特性のサイズに合わせる工程と、を有することを特徴とする請求項９に記載の方法。
【請求項１２】
前記ノイズマスクは、前記ヒト視覚システムのコントラスト感度関数の最大周波数に相当する最大周波数を有することを特徴とする請求項９に記載の方法。
【請求項１３】
前記ノイズマスクは、実質的に３サイクル／度〜５サイクル／度である最大周波数を有することを特徴とする請求項９に記載の方法。
【請求項１４】
前記画像依存性パターン選択部が、下記のａ）〜ｃ）の工程を行うことを特徴とする請求項６に記載の方法。
ａ）前記第１画像が、実質的に２値であるか否かを判断する工程
ｂ）前記第１画像が実質的に２値である場合に、第１画像テキスト文字の寸法を決定する工程
ｃ）テキストが存在する場合に、前記マスク画像として、第１画像テキスト文字の寸法あたり、３サイクル〜５サイクルの優位周波数を有するノイズマスクを選択する工程
【請求項１５】
第１位置に居る観察者に対して明瞭な視野を与えるとともに、前記第１位置から第２位置に向かって観察者が移動するにしたがって、徐々に不明瞭になる視野を与える第１画像アレイと、
前記第２位置に居る観察者に対して明瞭な視野を与えるとともに、前記第２位置から前記第１位置に向かって観察者が移動するにしたがって、徐々に不明瞭になる視野を与える第２画像アレイと、
下記のａ）〜ｄ）と、を備え、
ａ）少なくとも１つのマスクパターン
ｂ）マスクパターン緩衝部
ｃ）第１入力画像を受けるための受信部
ｄ）第１画像緩衝部
前記マスクパターン緩衝部は、前記第１画像アレイに対して入力を行い、前記第１画像緩衝部は、前記第２画像アレイに対して入力を行うことを特徴とするマルチビューディスプレイ上でプライバシーを守るためのシステム。
【請求項１６】
第１画像の特性を決定するための第１画像解析部を備えることを特徴とする請求項１５に記載のシステム。
【請求項１７】
ａ）〜ｃ）の工程を有することを特徴とする、マルチビューディスプレイのためのプライバシーマスクを製造する方法。
ａ）第１画像を受ける工程
ｂ）第１画像の特性を決定する工程
ｃ）前記第１画像の特性に基づいてマスク画像を作製する工程
【請求項１８】
前記第１画像の特性は、寸法特性を含み、
前記マスク画像は、前記寸法特性と実質的に同じ周期に相当する周波数を有することを特徴とする請求項１７に記載の方法。
【請求項１９】
前記第１画像の特性は、テキストサイズを含み、
前記マスク画像は、前記テキストサイズと実質的に同じサイズのテキストを含むことを特徴とする請求項１７に記載の方法。
【請求項２０】
前記第１画像の特性は、テキスト寸法を含み、
前記マスク画像は、テキスト寸法あたり３サイクル〜５サイクルである周波数と実質的に同じ周波数を有することを特徴とする請求項１７に記載の方法。
【発明の詳細な説明】
【技術分野】
【０００１】
本発明は、マルチビューディスプレイ上でプライバシーを守るための方法およびシステムに関するものである。
【背景技術】
【０００２】
機密情報を表示する場合、常に、意図されない観察者が上記機密情報に曝される恐れがある。もしも、上記機密事項が広範な領域から見ることが可能であれば、上記機密事項が意図されない観察者に曝される危険性が増す。（例えば、非特許文献１参照）。
【非特許文献１】Solomon et al.,Nature 369,395-397（1994）
【発明の開示】
【発明が解決しようとする課題】
【０００３】
しかしながら、上記従来のディスプレイでは、特定の観察者のみに目的の画像を表示することができないという問題点を有している。
【０００４】
表示された情報を識別し得る領域を制限するための方法およびシステムは、機密事項が意図されない観察者に曝される危険性を低くすることができる。
【０００５】
本発明は、上記従来の問題点に鑑みなされたものであって、その目的は、マルチビューディスプレイ上でプライバシーを守ることができる方法およびシステムを提供することにある。
【課題を解決するための手段】
【０００６】
本発明のマルチビューディスプレイ上でプライバシーを守る方法は、上記課題を解決するために、
ａ）マルチビューディスプレイの第１画像視野上に第１画像を表示する工程であって、前記第１画像視野は、第１位置に居る観察者に対して遮蔽されない視野を与えるとともに、前記第１位置から離れるにしたがって、観察者に対して次第に遮蔽されてゆく視野を与える工程；および
ｂ）前記マルチビューディスプレイの第２画像視野上にマスク画像を表示する工程であって、前記第２画像視野は、第２位置に居る観察者に対して遮蔽されない視野を与えるとともに、前記第２位置から離れるにしたがって、観察者に対して次第に遮蔽されてゆく視野を与える工程
を有することを特徴としている。
【０００７】
上記構成によれば、第１位置に居る観察者には、第１画像を優先的に見せることができる。また、上記構成によれば、第２位置に居る観察者には、マスク画像を優先的に見せることができる。つまり、上記構成によれば、第１位置に居る観察者のみに、目的とする画像を見せることができる。
【０００８】
本発明のマルチビューディスプレイ上でプライバシーを守る方法では、前記マスク画像は、ノイズ画像であることが好ましい。
【０００９】
上記構成によれば、第２位置に居る観察者にはノイズ画像が見えるので、第１位置に居る観察者のみに、第１画像を見せることができる。
【００１０】
本発明のマルチビューディスプレイ上でプライバシーを守る方法では、前記ノイズ画像は、ヒト視覚システムのコントラスト感度関数の最大周波数に相当する周波数を有することが好ましい。
【００１１】
上記構成によれば、第２位置に居る観察者にはノイズ画像が優位に見えるので、第２位置に居る観察者から、第１画像が、より見え難いようにすることができる。
【００１２】
本発明のマルチビューディスプレイ上でプライバシーを守る方法では、前記ノイズ画像は、前記マルチビューディスプレイに対応する明順応レベル（light adaptation level）において、ヒト視覚システムのコントラスト感度関数の最大周波数に相当する最大周波数を有することが好ましい。
【００１３】
上記構成によれば、第２位置に居る観察者にはノイズ画像が優位に見えるので、第２位置に居る観察者から、第１画像が、より見え難いようにすることができる。
【００１４】
本発明のマルチビューディスプレイ上でプライバシーを守る方法では、前記ノイズ画像は、実質的に３サイクル／度〜５サイクル／度である最大周波数を有することが好ましい。
【００１５】
上記構成によれば、第２位置に居る観察者にはノイズ画像が優位に見えるので、第２位置に居る観察者から、第１画像が、より見え難いようにすることができる。
【００１６】
本発明のマルチビューディスプレイ上でプライバシーを守る方法では、前記マスク画像は、画像依存性パターン選択部によって選択されることが好ましい。
【００１７】
上記構成によれば、より適したマスク画像を選択することができるので、第２位置に居る観察者から、第１画像が、より見え難いようにすることができる。
【００１８】
本発明のマルチビューディスプレイ上でプライバシーを守る方法では、前記画像依存性パターン選択部は、前記第１画像における画像特性のサイズを決定するとともに、マスク画像ノイズの最大周波数に相当する周期を、前記画像特性のサイズに合わせることが好ましい。
【００１９】
上記構成によれば、第１画像の画像特性に合ったマスク画像を選択することができるので、第２位置に居る観察者から、第１画像が、より見え難いようにすることができる。
【００２０】
本発明のマルチビューディスプレイ上でプライバシーを守る方法では、前記画像依存性パターン選択部は、前記第１画像におけるテキスト特性のサイズを決定するとともに、マスク画像ノイズの最大周波数に相当する周期を、前記テキスト特性のサイズに合わせることが好ましい。
【００２１】
上記構成によれば、第１画像の画像特性に合ったマスク画像を選択することができるので、第２位置に居る観察者から、第１画像が、より見え難いようにすることができる。
【００２２】
本発明のマルチビューディスプレイ上でプライバシーを守る方法では、前記画像依存性パターン選択部が、
ａ）前記第１画像中にテキストが存在するか否かを判断する工程；
ｂ）テキストが存在する場合に、前記マスク画像として用いるテキストマスクを選択する工程；および
ｃ）テキストが存在しない場合に、前記マスク画像として用いるノイズマスクを選択する工程
を行うことが好ましい。
【００２３】
上記構成によれば、第１画像の画像特性に合ったノイズマスクを選択することができるので、第２位置に居る観察者から、第１画像が、より見え難いようにすることができる。
【００２４】
本発明のマルチビューディスプレイ上でプライバシーを守る方法では、前記第１画像中にテキストが存在する場合に、前記第１画像中の主要なテキスト文字のサイズを決定する工程と、前記第１画像中にテキストが存在する場合に、前記第１画像中の主要なテキスト文字の前記サイズと実質的に同じサイズの文字を有する前記テキストマスクを設定する工程と、を有することが好ましい。
【００２５】
上記構成によれば、第１画像の画像特性に合ったテキストマスクを選択することができるので、第２位置に居る観察者から、第１画像が、より見え難いようにすることができる。
【００２６】
本発明のマルチビューディスプレイ上でプライバシーを守る方法では、前記第１画像中の画像特性のサイズを決定する工程と、前記第１画像中にテキストが存在しない場合に、前記ノイズマスクの最大周波数に相当する周期を、前記画像特性のサイズに合わせる工程と、を有することが好ましい。
【００２７】
上記構成によれば、第１画像の画像特性に合ったマスク画像を選択することができるので、第２位置に居る観察者から、第１画像が、より見え難いようにすることができる。
【００２８】
本発明のマルチビューディスプレイ上でプライバシーを守る方法では、前記ノイズマスクは、前記ヒト視覚システムのコントラスト感度関数の最大周波数に相当する最大周波数を有することが好ましい。
【００２９】
上記構成によれば、第２位置に居る観察者にはノイズマスクが優位に見えるので、第２位置に居る観察者から、第１画像が、より見え難いようにすることができる。
【００３０】
本発明のマルチビューディスプレイ上でプライバシーを守る方法では、前記ノイズマスクは、実質的に３サイクル／度〜５サイクル／度である最大周波数を有することが好ましい。
【００３１】
上記構成によれば、第２位置に居る観察者にはノイズマスクが優位に見えるので、第２位置に居る観察者から、第１画像が、より見え難いようにすることができる。
【００３２】
本発明のマルチビューディスプレイ上でプライバシーを守る方法では、前記画像依存性パターン選択部が、
ａ）前記第１画像が、実質的に２値であるか否かを判断する工程；
ｂ）前記第１画像が実質的に２値である場合に、第１画像テキスト文字の寸法を決定する工程；および
ｃ）テキストが存在する場合に、前記マスク画像として、第１画像テキスト文字の寸法あたり、３サイクル〜５サイクルの優位周波数を有するノイズマスクを選択する工程
を行うことが好ましい。
【００３３】
上記構成によれば、第１画像の画像特性に合ったノイズマスクを選択することができるので、第２位置に居る観察者から、第１画像が、より見え難いようにすることができる。
【００３４】
本発明のマルチビューディスプレイ上でプライバシーを守るためのシステムは、上記課題を解決するために、第１位置に居る観察者に対して明瞭な視野を与えるとともに、前記第１位置から第２位置に向かって観察者が移動するにしたがって、徐々に不明瞭になる視野を与える第１画像アレイと、前記第２位置に居る観察者に対して明瞭な視野を与えるとともに、前記第２位置から前記第１位置に向かって観察者が移動するにしたがって、徐々に不明瞭になる視野を与える第２画像アレイと、下記のａ）〜ｄ）と、を備え、
ａ）少なくとも１つのマスクパターン
ｂ）マスクパターン緩衝部
ｃ）第１入力画像を受けるための受信部
ｄ）第１画像緩衝部
前記マスクパターン緩衝部は、前記第１画像アレイに対して入力を行い、前記第１画像緩衝部は、前記第２画像アレイに対して入力を行うことを特徴としている。
【００３５】
上記構成によれば、第１位置に居る観察者にのみ見える画像を選択することができる。また、上記構成によれば、第２位置に居る観察者にのみ見える画像を選択することができる。つまり、上記構成によれば、第１位置に居る観察者のみに、目的とする画像を見せることができる。
【００３６】
本発明のマルチビューディスプレイ上でプライバシーを守るためのシステムでは、第１画像の特性を決定するための第１画像解析部を備えることが好ましい。
【００３７】
上記構成によれば、第１画像の特性を決定することができるので、それに応じて、第２位置に居る観察者に見せる画像を選択することができる。
【００３８】
本発明のマルチビューディスプレイのためのプライバシーマスクを製造する方法は、
ａ）第１画像を受ける工程；
ｂ）第１画像の特性を決定する工程；および
ｃ）前記第１画像の特性に基づいてマスク画像を作製する工程
を有することを特徴としている。
【００３９】
上記構成によれば、第１画像の特性に応じてマスク画像を作製することができるので、第１位置に居る観察者のみに、目的とする画像を見せることができる。
【００４０】
本発明のマルチビューディスプレイのためのプライバシーマスクを製造する方法では、前記第１画像の特性は、寸法特性を含み、前記マスク画像は、前記寸法特性と実質的に同じ周期に相当する周波数を有することが好ましい。
【００４１】
上記構成によれば、第１画像の特性に応じてマスク画像を作製することができるので、第１位置に居る観察者のみに、目的とする画像を見せることができる。
【００４２】
本発明のマルチビューディスプレイのためのプライバシーマスクを製造する方法では、前記第１画像の特性は、テキストサイズを含み、前記マスク画像は、前記テキストサイズと実質的に同じサイズのテキストを含むことが好ましい。
【００４３】
上記構成によれば、第１画像の特性に応じてプライバシーマスクを作製することができるので、第１位置に居る観察者のみに、目的とする画像を見せることができる。
【００４４】
本発明のマルチビューディスプレイのためのプライバシーマスクを製造する方法では、前記第１画像の特性は、テキスト寸法を含み、前記マスク画像は、テキスト寸法あたり３サイクル〜５サイクルである周波数と実質的に同じ周波数を有することが好ましい。
【００４５】
上記構成によれば、第１画像の特性に応じてプライバシーマスクを作製することができるので、第１位置に居る観察者のみに、目的とする画像を見せることができる。
【発明の効果】
【００４６】
本発明のマルチビューディスプレイ上でプライバシーを守る方法は、以上のように、マルチビューディスプレイの第１画像視野上に第１画像を表示する工程であって、前記第１画像視野は、第１位置に居る観察者に対して遮蔽されない視野を与えるとともに、前記第１位置から離れるにしたがって、観察者に対して次第に遮蔽されてゆく視野を与える工程、および、前記マルチビューディスプレイの第２画像視野上にマスク画像を表示する工程であって、前記第２画像視野は、第２位置に居る観察者に対して遮蔽されない視野を与えるとともに、前記第２位置から離れるにしたがって、観察者に対して次第に遮蔽されてゆく視野を与える工程、を有する方法である。
【００４７】
また、本発明のマルチビューディスプレイ上でプライバシーを守るためのシステムは、以上のように、第１位置に居る観察者に対して明瞭な視野を与えるとともに、前記第１位置から第２位置に向かって観察者が移動するにしたがって、徐々に不明瞭になる視野を与える第１画像アレイと、前記第２位置に居る観察者に対して明瞭な視野を与えるとともに、前記第２位置から前記第１位置に向かって観察者が移動するにしたがって、徐々に不明瞭になる視野を与える第２画像アレイと、を有するものである。
【００４８】
それゆえ、特定の観察者のみに目的の画像を表示することができるという効果を奏する。
【発明を実施するための最良の形態】
【００４９】
本発明の実施形態は、添付された図面によって、よく理解されるであろう。なお、当該図面では、同一の部材については、同一の符号を付している。図面に記載の構成は、明らかに、以下に記載する詳細な説明の一部である。
【００５０】
本明細書に一般的な例として記載されている本発明の各構成が、多様な異なる実施形態中に配置および設計され得ることは、容易に理解されるであろう。それゆえ、以下に記載する本発明の方法およびシステムの実施形態に関する、より詳細な説明は、本発明の範囲を限定するものではなく、現状における本発明の好ましい実施形態の単なる一例を記載しているにすぎない。
【００５１】
実施形態の中には、マスク画像の表示を包含するものもある。なお、上記マスク画像は、第１表示画像の視野を徐々に暗くする。実施形態の中には、マスク画像が、ヒト視覚システムのコントラスト感度関数（contrast sensitivity function（ＣＳＦ））に基づき得るものもある。
【００５２】
本発明の実施形態の構成要素は、ハードウェア、ファームウェアおよび／またはソフトウェア中に具現化され得る。本明細書中に記載されている典型的な実施形態は上記具現化形態中の１つであるが、当業者であれば、本発明の範囲内で、上記構成要素を上述したあらゆる構成内に具現化できることが理解できるはずである。
【００５３】
本発明の幾つかの実施形態は、表示されるプライバシー情報に関するものである。つまり、幾つかの実施形態では、表示された画像が狭い視野角からのみ見ることができる。なお、上記視野角は、観察者の視野角（通常は垂直であって、０度と呼ばれる）に適合されている。他の招かれざる観察者に対応する他の視野角では、表示画像ではなく、黒色画像が見える。しかしながら、視野角が４５度から０度に移動するにつれて、黒色画像が次第に消えるとともに、主要画像が次第に姿を現す。
【００５４】
招かれざる観察者の目に見えるものが黒色画像のみであるという現象は、一般的に、視野角が４５度以上のときにのみ生じる。上記招かれざる観察者がディスプレイの方にかがみこめば、当該観察者には、黒色画像と混ざり合った主要画像が見えはじめる。黒色画像と混ざり合った主要画像は高画質ではないが、しばしば、主要画像の内容を見たり読んだりすることができる。このことは、ディスプレイにおける所望のプライバシーを損なう。
【００５５】
幾つかの実施形態は、デュアルビューディスプレイを含む。そして、当該デュアルビューディスプレイは、プライバシー表示部として機能する変更点を備えている。これらの実施形態では、中央に位置する観察者は１つの画像を見、他の視野角に位置する他の観察者は、異なる画像を見る。幾つかの実施形態では、上記画像の両方が、通常の表示手段（例えば、上記画像の各々に対する画像緩衝部に書き込むこと）を介して制御される。
【００５６】
幾つかの実施形態では、第２画像緩衝部中に良質画像を収納することによって、上記招かれざる観察者がディスプレイの方にかがみこんで視野角が小さくなる時に、主要画像を隠すというよりよい効果が生じる。
【００５７】
本発明の幾つかの実施形態は、フラットフィールド（flat field）よりはむしろ、第２表示を行うためにパターンを使用する。
【００５８】
本発明の幾つかの実施形態は、ノイズパターンを使用する。なお、当該ノイズパターンは、たとえ視野角が減少した場合（例えば、招かれざる観察者が、覗き見をしようとして視野角が減少した場合）でも最大限の遮蔽効果を得るように、ヒト視覚システムのコントラスト感度関数の形状に基づいている。
【００５９】
本発明の幾つかの実施形態は、任意のテキスト文字または選択されたテキスト文字に基づくパターンの使用を含む。その結果、唯一の観察者を対象とした第１画像を、より良く遮蔽することができる。
【００６０】
本発明の幾つかの実施形態は、切り替え可能なパターンの使用を含む。なお、当該切り替え可能なパターンは、画像がテキスト／図形、またはより自然な画像であるか否かに依存する。
【００６１】
本発明の幾つかの実施形態は、ＣＳＦによってフィルターがかけられたノイズの使用を含む。本案発明の幾つかの実施形態はノイズパターンの使用を含み、当該ノイズパターンは、画像テキスト文字の大きさに依存した最大周波数を有している。本発明の幾つかの実施形態は、ノイズ画像の使用を含む。なお、当該ノイズ画像は、一定の最大周波数を有している。
【００６２】
ディスプレイにおいて、プライバシーを守るための形態または機能という発想は、良く確立されており、当該発想は、一般的にはパッシブフィルム（passive film）を介して達成される。なお、当該パッシブフィルムは、フィルム中を斜めに進む光に対する遮光体として機能する。このことについて、図１を用いて説明する。中央観察者２は、画像を見ることが意図された観察者であり、中央観察者２の側にいるのは、画像を見ることが意図されていない、招かれざる観察者４および６である。
【００６３】
図２は、中央から右側にいる観察者（０度から４５度）にとって、視野角に応じてどのように画像が見えるのかを示した図である。左側では、中央にいる観察者が見る画像と同じ画像が見え、当該画像は普通の画像のように見える。当該画像の右側では、４５度に位置する観察者には、暗い画像が見える。しかしながら、４５度から０度に向かって視野角が移動すれば（例えば、招かれざる観察者が中央の観察者の方にかがみこんで、画像を覗き見しようとすれば）、画像は、暗い画像から次第に明るくなる。より高い視野角では高画質の画像ではないものの、それでも当該画像の中身を見ることが可能である。図２に示す例では、おおよそ３３度の視野角であれば、画像を識別することができる。
【００６４】
本発明の幾つかの実施形態は、マルチビューディスプレイと呼ばれるディスプレイを備えており、当該ディスプレイは、異なる視野角から異なる画像を見ることを可能にする。上記ディスプレイは、典型的な例としては少なくとも２つの画像の表示が可能であるとともに、少なくとも２つの画像フレームバッファ（image frame buffer）と、少なくとも２つの異なる画像を提供する能力とを有している。例えば、これらの画像としては、車の中の運転者への情報および乗客への情報が対象とされ、上記運転者は地図を読むことができ、乗客は娯楽を楽しむことができる。図３に、典型的なマルチビューディスプレイが記載されている。画像Ａ（画像３６）および画像Ｂ（画像３８）はディスプレイ３４中に読み込まれ、図３に示すように、個別に見られ得る。マルチビューディスプレイ３４の特性の故に、左側の観察者３０には、ディスプレイ３４との相対的な位置関係によって決まる自身の位置から、画像Ａ（画像３６）のみが見える。一方、右側の観察者３２には、ディスプレイ３４との相対的な位置関係によって決まる自身の位置から、画像Ｂ（画像３８）のみが見える。
【００６５】
図４には、典型的なデュアルビューディスプレイの詳細が示されており、当該デュアルビューディスプレイは、ピクセル格子４２との相対的な位置関係によって自身の位置が決定される視差バリア４０を用いている。実施形態の幾つかでは、他の手段同様に、視差バリア４０の位置を移動させて、２つの異なる画像の視野角を調節することが可能である。このようにして、１つの画像（例えば、画像Ａ）を記入（registering）しているサブピクセルは、左側視野の透視図４４と協調され得る。また、他の画像（例えば、画像Ｂ）を記入しているサブピクセルは、右側視野の透視図４６と協調され得る。
【００６６】
本発明の幾つかの実施形態は、図５に示すように、典型的なマルチビューディスプレイに関連し得る。これらの実施形態では、ディスプレイ３４の中央部のすぐ前に位置する中央観察者５０には、第１画像５５が見える。一方、十分に横（例えば、４５度）からディスプレイ３４を見る観察者には、第２画像５４・５６が見える。実施形態の幾つかでは、どちら一方の側から、同一の画像５４・５６が見える。また、実施形態の幾つかでは、それぞれの側から、異なる画像５４・５６が見える。この実施形態では、上記ディスプレイはプライバシーを守ることができ、両側の観察者には第１画像５５が見えない。これらの実施形態では、中央観察者５０のために、画像Ａ（第１画像５５）に所望の可視画像が取り込まれる。一方、画像Ｂには黒色画像が取り込まれて、フィルムに基づいたプライバシー画像として機能する。このようにして、招かれざる観察者には、単に黒色画像しか見えない。これらの実施形態における視野の制限は、図４に示されているような視差バリアによって達成され得る。
【００６７】
プライバシーを守るディスプレイを実現するためのマルチビューディスプレイに基づく方法は、パッシブフィルムに基づく方法よりも柔軟性を有している。例えば、単なる黒色画像ではなく、他の画像が、画像Ｂ（画像５４・５６）中に取り込まれ得る。このとき、「偽画像」同様に、パターンが使用され得る。本発明の実施形態は、第１画像Ａ（第１画像５５）を隠すまたは覆う（マスクする）ための、第２画像Ｂ（画像５４・５６）の便利ないくつかの利用方法を含んでいる。この場合、画像Ｂ（画像５４・５６）を「マスク」と呼ぶ。マスクとして偽画像を使用することは、画像を隠すという観点からは有用であるが、パターンを使用すれば、視野角に応じたより良いマスクを提供し得る。
【００６８】
幾つかの改変されたマルチビューディスプレイの実施形態において、異なる画像の視認性に関する関数は、混合比（Blending ratio）を用いて記載され得る。このとき、混合比は、特定の位置または視野角において、各画像がどの程度見えるのかについて示している。混合比が１．０の場合、その視野角において、１つの画像は完全に見えるが、他方の画像は完全に見えない。このような混合比に関する方程式は、一般的に（１）式にて示される。
【００６９】
Ｏｕｔ＝α（ｉｍａｇｅ１）＋（１−α）（ｉｍａｇｅ２）・・・・・（１）
なお、（１）式において、出力画像（Output image）は、混合比に起因するものである。
【００７０】
図６は、典型的な混合比の挙動を示している。これらの実施形態では、中央の画像（画像Ａ）に対する混合比が破線６０にて示されており、マスク画像（画像Ｂ）に対する混合比が点線６１にて示されている。混合比は、視野角に対して線形性を示すとともに、４５度にて飽和する。幾つかの実施形態では、上記飽和は４５度以外の他の視野角にて生じ得るとともに、混合比は、視野角に対して線形性を示さないものもある。図７に、他の実施形態を示す。当該実施形態でも、中央の画像（画像Ａ）に対する混合比が破線７０にて示されており、マスク画像（画像Ｂ）に対する混合比が点線７１にて示されている。しかしながら、図７では、混合比は、視野角に対して線形性を示さないとともに、混合比は、図６とは異なる視野角にて飽和し得る。
【００７１】
画像Ｂ中に取り込ませる最良のマスクパターン候補を決めるための幾つかの実施形態では、正確な視野角と混合比の関数とは、主要な関心事ではない。むしろ、問題となるのは、特定の混合比に対して、上記パターンが如何に良く機能するかということである。以下に示す図面および関連する記載においては、「混合比」という用語は、第１画像または中央画像の混合比を意図する。なお、図８に示すように、上記第１画像または中央画像の混合比は、画像が完全に見える場合には、その値が１であり、画像が完全に見えない場合には、その値が０である。第２画像またはマスク画像の混合比は、第１画像の混合比に対して優先される。したがって、第２画像またはマスク画像の混合比の値は、１から第１画像の混合比の値を引いた値になる。下記の図９〜図１２、図１４〜図２１および図２３〜図２９に示す画像では、横軸（水平軸）は第１画像の混合比を示し、左から右に向かって、その値は１から０に減少してゆく。
【００７２】
図９は実在の画像（写真）であって、後述する図形画像（グラフィック画像）とは対照的なものである。図９では、混合されることなく画像全体が表示されおり、当該画像をマスクして画像特性が暗くなったものと比較することができる。
【００７３】
図１０には図９と同じ画像が示されているが、図１０の画像には、白色画像マスクが混合されている。これらの実施形態では、マルチビューディスプレイは、黒色のプライバシー遮断物として機能するのみならず、他の同様のフィールド（field）を用いることができる。この典型的な実施形態では、白色画像がマスク画像緩衝部中に取り込まれる。
【００７４】
混合比が０であると期待される位置に居る、招かれざる観察者には、単にマスクのみが見えるが、当該現象は画像の最も右側にて生じる。図中の画像における左端では、上記観察者は、歪められていない画像（マスクされていない画像）のみを見る。上記観察者の方にかがみこんでプライベート画像を覗き見しようとする、招かれざる観察者には、かがみこむにしたがって徐々に画像の細部が明らかになるように、白色画像の外側の画像が見える。白色画像マスクは、黒色マスク同様に機能する。しかしながら、視野角の関数として異なる特性を有しているので、白色画像マスクは、黒色マスクとは若干異なる挙動を示す。つまり、右側に表示される太字は視認性がより低いが、当該太字の右側に表示されるより小さな図形は、黒色マスクの場合と比較して視認性が高い。
【００７５】
図１１は、灰色マスクが混合された同じ画像を示しているが、当該灰色マスクは実質的には、黒色マスクおよび白色マスクほどは機能しない。異なるマスクの有効性を比較する方法は、視認できる画像の特性を、右側から左側に向かって比較することである。画像の特徴点が暗くなる（マスクされる）地点が左側に行けば行くほど、プライバシーを守るためのパターンは、より良くなる。このことは、招かれざる観察者が、画像を見るために観察者の方にかがみこむ場合、招かれざる観察者は、画像を識別する前に、画像を見るべき観察者の方にかがみこまなくてはならないことを意味している。
【００７６】
本発明の幾つかの実施形態では、フラットフィールドよりも、むしろパターンを使用している。パターンは、フィルムに基づくプライバシースクリーンを用いて製造するのは困難であるが、マルチビューディスプレイの方法によって製造するのは容易である。招かれざる観察者の視野を覆うためのパターンは、単純に画像Ｂ（マスク画像）中に書き込まれる。混合比が０の位置に居る、招かれざる観察者には、これら画像の右端に見えるように、単にマスクが見えるのみである。上記ディスプレイのすぐ前の中央部に位置する観察者には、これら画像の左端に見えるように、単に歪められていない画像（マスクされていない画像）が見えるのみである。観察者の方にかがみこんでプライベート画像を覗き見しようとする、招かれざる観察者には、画像が見えはじめる。それゆえ、フラットフィールドマスク（flat-field mask）は、あまり効果的ではない。
【００７７】
パターンを用いる典型的な実施形態では、図１２に示すように、白色ノイズがマスク画像として用いられ得る。幾つかの実施形態では、上記ノイズは、あらゆる周波数を均一に覆い得るとともに、あらゆるグレーレベル（gray level）を含み得る。グレーレベルの範囲を含むマスクは、２値画像マスクよりも、よく機能し得る。これは、視覚システムのコントラストチャンネル（contrast-channel）に起因しており、当該コントラストチャンネルは、良く知られた空間周波数チャンネル（spatial frequency channel）中の一群である。図１１〜１３に示された画像を比較すれば、招かれざる観察者が第１観察者（使用者）に向かって移動した場合、図１２に示す白色ノイズマスクが、画像をより暗くする。図１２では、混合比を示すために底部に記載した軸は、図１０および図１１と同じである。画像中の左側位置−右側位置の作用を示すものとしては、画像特性の視認性を比較することで十分である。画像の中央部に位置する小さな図中の人の顔の特徴点（目鼻立ち）は、この白色ノイズマスクを用いるよりも、３フラットフィールドマスク（灰色、白色、黒色）を用いる方が、より見える。
【００７８】
幾つかの実施形態では、マスクのコントラストが高くなればなるほど、より良く画像を隠す。しかしながら、上記コントラストは、ディスプレイの最大コントラストに限定される。この白色ノイズの例では、最も高いコントラストは、深刻なクリッピング（serious clipping）がない場合に可能であることを示している（当該コントラストのためのクリッピングは、およそ１０％である）。波形にとっては、レンジコントラスト（range contrast）よりは、むしろＲＭＳコントラスト（rms contrast）を用いる方が好ましい。目的とするところは、任意のコントラストにおける最も好ましいパターンを見出すことである。ノイズを形成するための１つの方法は、ヒト視覚システムの周波数特性を考慮することである。この点に関しては、図１３に示すように、異なる明順応レベルに対するコントラスト感度関数を用いて、最もよく記載されている。幾つかの実施形態にとって、トップカーブ１３０が、最も使用に適している。上記トップカーブ１３０は、１度につき、３〜５サイクルのピークを有している。
【００７９】
幾つかの実施形態では、ＣＳＦは、ノイズにフィルターをかけるか、あるいはノイズに影響を与えるために使用され、その結果、ノイズの最大周波数はＣＳＦの最大周波数に合わされる。これによって、上記ノイズが極度に可視化され、より強力なマスク機能を得ることができる。幾つかの実施形態では、フィルターが、サイクル／度（ｃｙ／ｄｅｇ）のビジュアルドメインからサイクル／ピクセル（ｃｙ／ｐｉｘｅｌ）のビジュアルドメインに変換される必要があるが、当該変換は、規定された観察距離に対して容易に行われる。
【００８０】
図１４および図１５には、マスクとして、ＣＳＦによってフィルターがかけられたノイズを使用することが記載されている。上記ノイズは、サイクル／度からサイクル／ピクセルへのマッピングにおいて、２つの異なる観察距離を選択することによって作製される。図１４では、観察距離が４Ｈ（換言すれば、画像の高さの４倍）に設定されている。なお、４Ｈはまた、７２０×５１２  ｐｉｘの画像における２０４８ピクセルの観察距離に等しい。上記画像の実際のサイズは、観察距離が上記比率を維持したままで拡大・縮小される限りにおいては、問題ではない。図１５は、白色ノイズにフィルターをかけるために、８Ｈ（４０９６ピクセルの距離）である観察距離のためのＣＳＦを使用することが記載されている。
【００８１】
試験を行った結果、これら２つのＣＳＦに基づいてフィルターをかけたノイズは、図１２に示す白色ノイズよりも、より良いマスクとして機能する。これらノイズは、異なる特性を有する画像を覆い隠す傾向にある。これらが、ノイズの最大周波数の周期（period）に相当するサイズを有する画像を、最も良く覆い隠すことは明らかである。これは、ＣＳＦの全体を含む根本的なビジュアルチャンネル（underlying visual channel）に起因する。
【００８２】
図１６には、非公開な状態で見られる画像の、別の主要なタイプが示されている。つまり、当該画像は、企業秘密と考えられるテキスト（文字）および図形を含む画像である。実際には、おそらく、このようなタイプの画像は、図１０〜図１２における実在の画像よりも、マスクすべき重要なタイプの画像である。図１７は、一般的な黒色画像マスクを示しており、画像の大部分の領域を介して、図形を読んだり見たりすることが容易である。この場合、白色画像マスクを用いれば、図１８に示すように、テキストに対するマスク効果が更に低くなる結果になる。
【００８３】
図１９には白色ノイズマスクを用いる実施形態が記載されており、フラットフィールドの何れよりも良く機能する。ＣＳＦによってフィルターがかけられたノイズを使用すれば、図２０および図２１に示すように、フィルターがかけられていないノイズよりも性能が向上する。なお、４Ｈ（図２０参照）を用いた場合の方が、８Ｈ（図２１参照）を用いた場合よりも、性能が向上する。これは、テキスト画像は小さいとともに、８Ｈによるノイズはより大きなノイズ特性を有するが故に、その結果、マスク効果がより小さくなる。
【００８４】
テキスト書類に対して、マスクとしてテキストを使用すれば、上記ノイズよりも良く機能する。これは、特性が類似しているとともに、認識に関係する外観が類似していることに起因している。マスク画像上にテキストを読み込むことは、第１画像中のテキストを読むことを更に困難にする。幾つかの実施形態は、英語にて書かれた文字および単語に関して、程度の異なる統計上の相関関係を含んでいる。これらは、言葉の情報量に関するシャノンの研究から、良く知られている。単純な０系列の文字相関（０ｔｈ−order character correlation）では、それぞれの文字は、テキスト中での発生可能性に照らして、全ての文字から選択される。より高度な第２系列の文字相関および単語相関（２ｎｄ-order character and word correlation）では、文字および単語は、０系列、第１系列および第２系列の相関にしたがって選択され、その結果、任意の文字または単語の前後の文字および単語は、基本的には記載言語中での発生可能性に基づいている。幾つかの実施形態は、これら第２系列の単語相関からなるテキスト画像マスクの使用を含む。これらの実施形態はマスク効果が非常に高く、図２２に見られるように、ノイズは中途半端に交差するようにマスクする傾向にあるのに対して、テキストは、画像の左側の１／４の領域さえ読むことが非常に困難である。幾つかの実施形態は、相関性のある文字および単語を用いてマスク画像を作製するために、０系列、第１系列および第２系列の文字相関および単語相関の処理工程、および他の文字相関および単語相関の処理工程を含んでいる。
【００８５】
この場合、第１画像中のテキストに対してほぼ適合するように、あるいは第１画像中のテキストにほぼ釣り合うように、マスク用テキストのサイズが選択される。このことを、全てに対して適用することは困難であるかもしれない。図２３は、３倍に拡大されたテキスト画像を示しているが、当該テキスト画像も、テキストサイズがずれることによって生じる効果を示す。
【００８６】
図２４にはテキストサイズがずれる場合が示されており、左側の隠すべきテキストを読むことが、より容易になっている。この画像では、画像の左側２／３に渡って、テキストを読むことが可能である。
【００８７】
図２５は、拡大されたテキストに適合するように再設計されたテキストマスクが示されており、マスクとして非常によく機能していることが理解できる。マスクは、画像の左半分にて、よく機能している。
【００８８】
幾つかの実施形態では、テキストマスクは、秘密にしたいテキストに適合するように、拡大・縮小され得る。幾つかの実施形態では、テキストの垂直位相（vertical phase）が適合され得る。また、幾つかの実施形態では、テキストのサイズが適合または近似され得ない場合には、図２６に示すように、ノイズマスクを使用する方がテキストマスクを使用するよりも好ましい。図２６および図２７に、拡大されたテキスト画像のためにマスクとして用いる、４Ｈおよび８ＨのためのＣＳＦによってフィルターがかけられたノイズフィールド（noise field）が示されている。これらは両方とも、適合していないテキストの場合よりも良く機能しており、その中でも４Ｈ（図２６参照）の方が、良く機能している。
【００８９】
以上のことから、画像非依存性マスクのためには、２０４８ピクセルという観察距離のために調整された、ＣＳＦによってフィルターがかけられたノイズマスクが良く機能すると考えられる。
【００９０】
本発明の幾つかの実施形態は、図２８を参照して説明され得る。これらの画像非依存性の実施形態では、ディスプレイの使用者によって見られる第１入力画像３００は、第１画像緩衝部３０３へ送られる。また、マスクパターン（またはマスク画像）３０１は、記憶装置にて生成されるか、あるいは記憶装置から読み出され、第２の画像緩衝部またはマスク画像緩衝部３０２へ送られる。次いで、上記マスク画像緩衝部３０２は、マスク画像をディスプレイアレイ３０４に送る。そして、上記マスク画像は、マルチビューディスプレイの第２視野上またはマスク視野上に書き込まれる。また、第１画像緩衝部３０３は、第１画像をディスプレイアレイ３０４に送る。そして、上記第１画像は、マルチビューディスプレイの第１視野上に書き込まれる。以上のようにして、マスク画像は、第１画像のプライバシーを守るためのフィルターとして使用され得る。
【００９１】
本発明の幾つかの実施形態は、図２９を参照して説明され得る。これらの実施形態では、第１入力画像３１０は、第１画像緩衝部３１４へ送られるとともに、パターン選択部３１１への入力としても機能する。上記パターン選択部３１１は、第１入力画像３１０を解析することができるとともに、その内容を判断することができる。次いで、上記第１入力画像３１０の内容に基づいて、マスクパターン３１２が選択され得る。上記マスクパターン３１２は、画像内容のタイプ（例えば、テキスト（文字）、図形（graphic）または絵入り文字（pictorial））に基づいて選択され得る。上記マスクパターン３１２はまた、画像のサイズおよび他の画像特性に基づいて選択され得る。次いで、上記マスクパターン３１２は、マスク画像緩衝部３１３へ送られ得る。次いで、上記マスク画像緩衝部３１３の内容は、ディスプレイアレイ３１５に送られる。そして、当該ディスプレイアレイ３１５では、マスク画像緩衝部３１３の内容が、マルチビューディスプレイの第１視野中にマスク画像として表示される。また、上記第１画像緩衝部３１４の内容は、ディスプレイアレイ３１５に送られ得る。そして、当該ディスプレイアレイ３１５では、第１画像緩衝部３１４の内容が、マルチビューディスプレイの第２視野中に表示され得る。
【００９２】
本発明の幾つかの実施形態は、図３０を参照して説明され得る。これらの実施形態は、画像依存性のパターン選択部３１１を備えている。これらの実施形態では、入力画像３１０は、画像特性を判断するために解析される。幾つかの実施形態では、画像のヒストグラム３２０が作製される。上記ヒストグラム３２０のデータに基づいて、画像が２値画像３２２であるか否かに関して、決定がなされる。なお、２値画像は、ブラックレベル（black level）およびホワイト・グレーレベル（white gray level）において、大きなスパイクを有しているとともに、その間では活性が非常に低い。もしも画像が２値画像であれば、当該画像は中身にテキストを含むとみなされ得、その結果、テキストマスク３２３が作製される。一方、もしも画像が２値画像でなければ、当該画像は非テキスト画像であるとみなされ得、その結果、ＣＳＦノイズマスク３２１が作製される。テキストマスク３２３またはＣＳＦノイズマスク３２１の何れが作製されたとしても、これらのマスクは、デュアルビューディスプレイの第２視野中またはマスク視野中に表示されるために、マスク画像緩衝部３１３へと送られる。
【００９３】
本発明の幾つかの実施形態は、図３１を参照して説明され得る。これらの実施形態では、入力画像３１０のデータは、解析のために、パターン選択部３１１へ送られる。幾つかの実施形態では、ヒストグラム３３０が作製されるとともに、当該ヒストグラム３３０を解析することによって、画像特性が判断される。幾つかの実施形態では、上記ヒストグラム３３０は、画像が２値画像３３２であるか否かを判断するために用いられる。もしも画像が２値画像であれば、当該画像はテキストを含むものであると分類され、当該画像中のテキストのサイズが、判定部３３３によって判断される。多様なサイズのテキストが見出されれば、最も一般的な文字サイズが判断され得る。次いで、テキスト文字を用いて、テキストマスクが作製され得る。なお、当該テキスト文字は、入力画像中で判断されたテキストと実質的に同じサイズである。別の方法として、幾つかの実施形態では、２値画像のために、ＣＳＦノイズマスクが生成部３３４によって作製される。２値画像のためにＣＳＦノイズマスクが生成部３３４によって作製されるとともに画像に対してテキストサイズが判断された場合、上記ノイズの優位周波数（dominant frequency）は、文字の寸法あたり３〜５サイクル（例えば、文字の高さあたり、３サイクル）の周波数に設定され得る。画像が２値画像３３２ではないと判断された場合、ＣＳＦノイズマスク３３１が作製される。２値画像ではない画像のためのＣＳＦノイズマスクは、１度あたり３〜５サイクルの最大周波数を有し得る。また、２値画像ではない画像のためのＣＳＦノイズマスクは、実質的に優勢な画像特性に類似した周期（period）に相当する最大周波数を有し得る。次いで、作製または選択されたマスクは、マルチビューディスプレイのマスク視野上に表示するために、マスク画像緩衝部３１３へ送られ得る。
【００９４】
本明細書中に用いる用語および表現は、本発明を説明するために用いたものであって、これらは本発明を限定するものではない。これらの用語および表現によって、本明細書に記載された特徴点または当該特徴点の部分と同等のものが除外されることはなく、本発明の範囲は請求項の記載によって明らかになる。
【００９５】
また、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９６】
本発明は、マルチビューディスプレイに代表される各種表示装置やその部品を製造する分野に利用することができる。
【図面の簡単な説明】
【００９７】
【図１】典型的なマルチビューディスプレイのシナリオを示す模式図である。
【図２】プライバシーを守り得る典型的なマルチビューディスプレイ上に表示された画像を示す模式図である。
【図３】典型的なデュアルビューディスプレイを示す模式図である。
【図４】視差バリアを有する典型的なデュアルビューディスプレイを示す模式図である。
【図５】プライバシーを守ることができるように構成されたマルチビューディスプレイを示す模式図である。
【図６】視野角と混合比との関係を示す線図である。
【図７】別の視野角と混合比との関係を示す線図である。
【図８】マルチビューディスプレイ上の２つの画像における混合比を示す線図である。
【図９】遮蔽されることのない典型的な表示画像を示す図である。
【図１０】マスク画像として白色のフィールドマスクを備えるマルチビューディスプレイ上に表示された図９の画像を、視野角を変化させて見たときの図である。
【図１１】マスク画像として灰色のフィールドマスクを備えるマルチビューディスプレイ上に表示された図９の画像を、視野角を変化させて見たときの図である。
【図１２】マスク画像として白色のノイズマスクを備えるマルチビューディスプレイ上に表示された図９の画像を、視野角を変化させて見たときの図である。
【図１３】様々な明順応レンジ（light adaptation range）に対する典型的なコントラスト感度関数を示す線図である。
【図１４】マスク画像としてＣＳＦによってフィルターがかけられたマスク（当該マスクは、画像の高さの４倍の距離から見るように調整されている）を備えるマルチビューディスプレイ上に表示された図９の画像を、視野角を変化させて見たときの図である。
【図１５】マスク画像としてＣＳＦによってフィルターがかけられたマスク（当該マスクは、画像の高さの８倍の距離から見るように調整されている）を備えるマルチビューディスプレイ上に表示された図９の画像を、視野角を変化させて見たときの図である。
【図１６】テキストおよび図形からなる典型的な画像を示す図である。
【図１７】マスク画像として黒色のフィールドマスクを備えるマルチビューディスプレイ上に表示された図１６の画像を、視野角を変化させて見たときの図である。
【図１８】マスク画像として白色のフィールドマスクを備えるマルチビューディスプレイ上に表示された図１６の画像を、視野角を変化させて見たときの図である。
【図１９】マスク画像として白色のノイズマスクを備えるマルチビューディスプレイ上に表示された図１６の画像を、視野角を変化させて見たときの図である。
【図２０】マスク画像としてＣＳＦによってフィルターがかけられたマスク（当該マスクは、画像の高さの４倍の距離から見るように調整されている）を備えるマルチビューディスプレイ上に表示された図１６の画像を、視野角を変化させて見たときの図である。
【図２１】マスク画像としてＣＳＦによってフィルターがかけられたマスク（当該マスクは、画像の高さの８倍の距離から見るように調整されている）を備えるマルチビューディスプレイ上に表示された図１６の画像を、視野角を変化させて見たときの図である。
【図２２】第２系列の文字相関に近似したテキストマスクを備えるマルチビューディスプレイ上に表示された図１６の画像を、視野角を変化させて見たときの図である。
【図２３】異なる縮尺度にて表示された図１６の画像の一部を示す図である。
【図２４】第２系列の単語相関に近似したテキストマスクを備えるマルチビューディスプレイ上に表示された図２３の画像を、視野角を変化させて見たときの図である。
【図２５】画像テキストの縮尺度にほぼ適合している再縮尺された第２系列の単語相関に近似したテキストマスクを備えるマルチビューディスプレイ上に表示された図２３の画像を、視野角を変化させて見たときの図である。
【図２６】マスク画像としてＣＳＦによってフィルターがかけられたマスク（当該マスクは、画像の高さの４倍の距離から見るように調整されている）を備えるマルチビューディスプレイ上に表示された図２３の画像を、視野角を変化させて見たときの図である。
【図２７】マスク画像としてＣＳＦによってフィルターがかけられたマスク（当該マスクは、画像の高さの８倍の距離から見るように調整されている）を備えるマルチビューディスプレイ上に表示された図２３の画像を、視野角を変化させて見たときの図である。
【図２８】マルチビューディスプレイに対してマスク画像を供給するための典型的なシステムを示す図である。
【図２９】典型的な画像依存性のマスク画像生成部を示す図である。
【図３０】典型的なパターン選択部を示す図である。
【図３１】別の典型的なパターン選択部を示す図である。
【符号の説明】
【００９８】
２・５０  中央観察者
４・６  招かれざる観察者
３４  マルチビューディスプレイ
３６・３８  画像
４０  視差バリア
４２  ピクセル格子
４４・４６  透視図
５４・５６  第２画像
５５  第１画像
６０・７０  破線
６１・７１  点線
１３０  トップカーブ
３００・３１０  第１入力画像
３０１・３１２  マスクパターン
３０２・３１３  マスク画像緩衝部
３０３・３１４  第１画像緩衝部
３０４  ディスプレイアレイ
３１１  パターン選択部
３２０・３３０  ヒストグラム
３２１・３３１  ＣＳＦノイズマスク
３２３  テキストマスク
３３３  判定部
３３４  生成部
３３５  作製部
【図１】
2008102517.tif 000003
【図４】
2008102517.tif 000004
【図６】
2008102517.tif 000005
【図７】
2008102517.tif 000006
【図８】
2008102517.tif 000007
【図１３】
2008102517.tif 000008
【図２８】
2008102517.tif 000009
【図２９】
2008102517.tif 000010
【図３０】
2008102517.tif 000011
【図３１】
2008102517.tif 000012
【図２】
2008102517.tif 000013
【図３】
2008102517.tif 000014
【図５】
2008102517.tif 000015
【図９】
2008102517.tif 000016
【図１０】
2008102517.tif 000017
【図１１】
2008102517.tif 000018
【図１２】
2008102517.tif 000019
【図１４】
2008102517.tif 000020
【図１５】
2008102517.tif 000021
【図１６】
2008102517.tif 000022
【図１７】
2008102517.tif 000023
【図１８】
2008102517.tif 000024
【図１９】
2008102517.tif 000025
【図２０】
2008102517.tif 000026
【図２１】
2008102517.tif 000027
【図２２】
2008102517.tif 000028
【図２３】
2008102517.tif 000029
【図２４】
2008102517.tif 000030
【図２５】
2008102517.tif 000031
【図２６】
2008102517.tif 000032
【図２７】
2008102517.tif 000033